(57)【特許請求の範囲】
【請求項１】
送受相互のリンクを確立するための最適な周波数を選定する周波数選定部を備える無線通信装置であって、
他無線通信装置へ電波を送信し、当該送信した電波に応答する電波を当該他無線通信装置から受信する送受信部と、
前記受信された電波から、前記リンクの状態を示す通信品質を解析する品質解析部と、
前記他無線通信装置への電波の送信を停止したときに、当該他無線通信装置から電波を受信した時点からの経過時間に基づいて、前記解析された通信品質を更新する品質更新部と、を備え、
前記周波数選定部は、通信品質が更新されたときに、前記更新された通信品質に基づいて、最適な周波数を選定する、
ことを特徴とする無線通信装置。
【請求項２】
前記品質更新部は、前記他無線通信装置から電波を受信した時点からの経過時間と前記通信品質との関係を示す算出式に基づいて、前記解析された通信品質を更新する、
ことを特徴とする請求項１に記載の無線通信装置。
【請求項３】
前記品質更新部は、前記通信品質を、品質の高い順に並び替え、
前記周波数選定部は、前記並び替えられた通信品質の順に、周波数を選定する、
ことを特徴とする請求項１又は２に記載の無線通信装置。
【請求項４】
前記他無線通信装置と自無線通信装置とは、前記通信品質を共有する、
ことを特徴とする請求項１乃至３のいずれか１項に記載の無線通信装置。
【請求項５】
前記送受信部は、サウンディング機能を有する、
ことを特徴とする請求項１乃至４のいずれか１項に記載の無線通信装置。
【請求項６】
送受相互のリンクを確立するための最適な周波数を選定する周波数選定工程を備える無線通信方法であって、
他無線通信装置へ電波を送信し、当該他無線通信装置から発射された電波を受信する送受信工程と、
前記受信された電波から、前記リンクの状態を示す通信品質を解析する品質解析工程と、
前記他無線通信装置への電波の送信を停止したときに、当該他無線通信装置から電波を受信した時点からの経過時間に基づいて、前記解析された通信品質を更新する品質更新工程と、を備え、
前記周波数選定工程では、通信品質が更新されたときに、前記更新された通信品質に基づいて、最適な周波数を選定する、
ことを特徴とする無線通信方法。
【発明の詳細な説明】
【技術分野】
【０００１】
本発明は、無線通信装置、及び、無線通信方法に関するものである。
【背景技術】
【０００２】
短波帯などの通信品質（回線品質）が悪い周波数帯域では、いかに最適な周波数で通信を行うかが重要になる。例えば、特許文献１には、使用可能な周波数の電波状況を順次監視することにより通信品質のよい周波数を選択（選定）し、当該周波数の電波状況を示す監視結果が所定のレベル以下になったときは、他の周波数を自動的に選択する技術が開示されている。
【先行技術文献】
【特許文献】
【０００３】
【特許文献１】特開平４−３１３９２６号公報
【発明の概要】
【発明が解決しようとする課題】
【０００４】
しかしながら、短波帯の通信は主に電離層反射を利用して行われるが、かかる電離層の状態は、時間、地域、季節、太陽黒点数などの影響により刻々と変化しており、通信を行うための最適な周波数は常に変化する。特許文献１に開示されている構成では、電波状況を示す監視結果が所定のレベル以下になったときは他の周波数が自動的に選択されるため、通話中の周波数が最適な周波数でない場合には、周波数が頻繁に切り替わることにより、通話が困難となる場合があった。このため、電波状況が変化した場合であっても、最適な周波数を選択する新たな方法が求められている。
【０００５】
本発明は、上記事情に鑑みてなされたものであり、電波状況が変化した場合であっても、最適な周波数を選択するのに好適な無線通信装置、及び、無線通信方法を提供することを目的とする。
【課題を解決するための手段】
【０００６】
上記目的を達成するため、本発明の第１の観点に係る無線通信装置は、
送受相互のリンクを確立するための最適な周波数を選定する周波数選定部を備える無線通信装置であって、
他無線通信装置へ電波を送信し、当該送信した電波に応答する電波を当該他無線通信装置から受信する送受信部と、
前記受信された電波から、前記リンクの状態を示す通信品質を解析する品質解析部と、
前記他無線通信装置への電波の送信を停止したときに、当該他無線通信装置から電波を受信した時点からの経過時間に基づいて、前記解析された通信品質を更新する品質更新部と、を備え、
前記周波数選定部は、通信品質が更新されたときに、前記更新された通信品質に基づいて、最適な周波数を選定する、
ことを特徴とする。
前記品質更新部は、前記他無線通信装置から電波を受信した時点からの経過時間と前記通信品質との関係を示す算出式に基づいて、前記解析された通信品質を更新してもよい。
【０００７】
前記品質更新部は、前記通信品質を、品質の高い順に並び替え、
前記周波数選定部は、前記並び替えられた通信品質の順に、周波数を選定してもよい。
【０００８】
前記他無線通信装置と自無線通信装置とは、前記通信品質を共有してもよい。
【０００９】
前記送受信部は、サウンディング機能を有してもよい。
【００１０】
本発明の第２の観点に係る無線通信方法は、
送受相互のリンクを確立するための最適な周波数を選定する周波数選定工程を備える無線通信方法であって、
他無線通信装置へ電波を送信し、当該他無線通信装置から発射された電波を受信する送受信工程と、
前記受信された電波から、前記リンクの状態を示す通信品質を解析する品質解析工程と、
前記他無線通信装置への電波の送信を停止したときに、当該他無線通信装置から電波を受信した時点からの経過時間に基づいて、前記解析された通信品質を更新する品質更新工程と、を備え、
前記周波数選定工程では、通信品質が更新されたときに、前記更新された通信品質に基づいて、最適な周波数を選定する、
ことを特徴とする。
【発明の効果】
【００１１】
本発明によれば、電波状況が変化した場合であっても、最適な周波数を選択することができる。
【図面の簡単な説明】
【００１２】
【図１】無線通信装置間の通信例を示す図である。
【図２】本発明の実施形態に係る無線通信装置の構成を示すブロック図である。
【図３】無線通信装置間におけるリンク確立手順を説明するための図である。
【図４】自無線通信装置にて実施される周波数選定処理を示すフローチャートである。
【図５】無線通信装置間で共有するチャネル構成を説明するための図である。
【図６】通信品質の解析結果例を示す図である。
【図７】通信品質の更新例を示す図である。
【図８】時間帯によって通信品質の更新方法を変化させた例を示す図である。
【発明を実施するための形態】
【００１３】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１４】
本発明の実施形態に係る無線通信装置は、複数のチャネル（周波数）から通信品質がよいチャネルを選定し、当該チャネルを通じて他の無線通信装置とリンクを確立する（通信を行う）装置である。以下では、自無線通信装置の符号を１ａとし、当該自無線通信装置１ａと通信を行う他無線通信装置の符号を１ｂとして説明する。自無線通信装置１ａ及び他無線通信装置１ｂは、同一の機能を備え、自無線通信装置１ａと他無線通信装置１ｂとの間で無線通信を行う。
【００１５】
なお、自無線通信装置１ａと他無線通信装置１ｂとを区別しない場合には、無線通信装置１として説明する。
また、自無線通信装置１ａと通信を行う他無線通信装置１ｂは、複数台であってもかまわないが、説明を容易にするため、以下では他無線通信装置１ｂを１台として説明する。
【００１６】
自無線通信装置１ａと他無線通信装置１ｂとの間では、図１に示すように、電離層で反射する電波の周波数を用いて、通信が行われる。電離層の状態は、時間、地域、季節、太陽黒点数などの影響により刻々と変化しており、自無線通信装置１ａと他無線通信装置１ｂとの間で通信を行うための最適な周波数は常に変化する。このため、電離層の状態が変化した場合であっても、最適な周波数を選定（選択）する必要がある。
【００１７】
本発明の実施形態に係る無線通信装置１（１ａ、１ｂ）は、図２に示すように、アンテナ１０、送受信部１１、復調部１２、変調部１３、スピーカ１４、マイク１５、品質解析部１６、品質記憶部１７、品質更新部１８、周波数選定部１９から構成される。
【００１８】
アンテナ１０は、アナログ変調又はデジタル変調された高周波の受信信号を受信するものである。また、アンテナ１０は、送受信部１１から供給されたアナログ変調信号又はデジタル変調信号を電波の信号として出力するものである。アンテナ１０は、他無線通信装置１ｂが送出した電波の信号を受信すると、当該電波の信号を送受信部１１に出力し、また、送受信部１１が電波の信号を出力すると、当該電波の信号を他無線通信装置１ｂへ送出する。自無線通信装置１ａと他無線通信装置１ｂとの間の無線通信は、アンテナ１０を介して行われる。
【００１９】
送受信部１１は、例えばアンプやチューナ、フィルタといった、各種の信号処理回路などから構成され、アンテナ１０を介して信号の送受信を行う。送受信部１１は、変調部１３から入力された送信信号をアンテナ１０に出力し、また、アンテナ１０から入力された受信信号を復調部１２に出力する。送受信部１１では、例えば無線通信装置１の設計仕様などに基づき、予め設定された動作周波数帯域内にて送信周波数となる運用周波数を変更して無線信号を送信する。
【００２０】
また、送受信部１１は、サウンディング機能を備え、通信品質を解析するために必要となる情報を送受信する。ここで、サウンディング機能とは、送信元の情報を、送信元から受信先へ送信する機能をいう。当該サウンディング機能により、送信元と受信先との間で通信品質を共有することができる。
【００２１】
復調部１２は、送受信部１１から入力された信号を復調するためのものである。送受信部１１から入力された信号が音声信号である場合、復調部１２は、当該音声信号をオーディオ周波数の信号に復調する。そして、復調部１２は、復調したオーディオ周波数の信号をスピーカ１４に入力することにより、スピーカ１４から入力された信号に基づく音声が出力される。
【００２２】
変調部１３は、マイク１５から入力された信号を変調するためのものである。マイク１５から入力された信号が音声信号である場合、変調部１３は、当該音声信号をアナログ又はデジタルの高周波の信号に変調する。そして、変調部１３は変調した信号を送受信部１１に入力することにより、アンテナ１０を介して、当該変調した信号が他無線通信装置１ｂへ送信される。
【００２３】
スピーカ１４は、復調部１２が出力したアナログ信号又はデジタル信号を音声に変換して出力するものである。
【００２４】
マイク１５は、音声の入力を受け付けて、当該音声の信号をアナログ信号又はデジタル信号に変換するものである。マイク１５は、変換した音声信号を変調部１３に供給する。
【００２５】
品質解析部１６は、例えばＣＰＵ（Central Processing Unit）などから構成され、無線端末装置１が受信した電波の信号の通信品質を解析する。ここで、通信品質とは、例えば受信信号の強度や、受信信号の誤り率、信号を受信するまでの時間などによって表される指標である。品質解析部１６は、復調部１２が出力した信号の強度や誤り率等に基づいて、信号のノイズや歪みを解析し、ノイズや歪みの少ない信号を通信品質がよいと判別する。
【００２６】
品質記憶部１７は、例えばＲＡＭやＲＯＭ、フラッシュメモリといった半導体メモリ、ＨＤＤ（Hard Disk Drive）などの記憶装置から構成され、信号の通信品質を記憶する。また、品質記憶部１７は、品質更新部１８により更新された通信品質を記憶する。
【００２７】
なお、品質記憶部１７は、ＣＰＵが実行する動作プログラムの他、各処理の実行に必要となるデータや各処理の実行により生成されたデータなども記憶する。ＣＰＵは、品質記憶部１７に格納されている所定の動作プログラムに基づいて各処理を実行する。
【００２８】
品質更新部１８は、例えばＣＰＵなどから構成され、他無線通信装置１ｂが送出した電波の信号を受信すると、当該電波の信号を受信した時点からの経過時間に基づいて、通信品質を更新する。なお、通信品質を更新する方法については、後述する。
【００２９】
周波数選定部１９は、例えばＣＰＵなどから構成され、他無線通信装置１ｂとの間で、通信を行うための最適な周波数を選定する。環境変化によって、通信品質がよい通信可能な周波数が刻々と変化するため、周波数選定部１９は、通信時（リンク確立時）において最適な周波数を選定する。具体的には、周波数選定部１９は、品質記憶部１７に記憶される通信品質が最適な周波数を選定する。周波数選定部１９により最適な周波数が選定されると、送受信部１１は、周波数選定部１９が選定した周波数に基づいて、他無線通信装置１ｂとの通信を行う。
【００３０】
次に、無線通信装置間（自無線通信装置１ａと他無線通信装置１ｂとの間）で、リンクを確立する（通信を行う）処理について、図面を参照して説明する。
【００３１】
まず、自無線通信装置１ａは、図３に示すように、他無線通信装置１ｂを呼び出す呼出信号を送信（送出）する。自無線通信装置１ａは、アンテナ１０を介して、送受信部１１が出力した信号を送信する。
【００３２】
次に、他無線通信装置１ｂは、自無線通信装置１ａから送信された呼出信号を、アンテナ１０を介して、受信する。
【００３３】
次に、呼出信号を受信すると、他無線通信装置１ｂは、呼出信号を受信した旨を示す応答信号を、自無線通信装置１ａへ送信する。
【００３４】
次に、自無線通信装置１ａは、他無線通信装置１ｂが送信した応答信号を受信すると、応答信号を受信した旨を示す確認信号を、他無線通信装置１ｂへ送信する。
【００３５】
そして、自無線通信装置１ａから送信された確認信号を他無線通信装置１ｂが受信した後、自無線通信装置１ａと他無線通信装置１ｂとの間でリンクが確立されて、通信が行われる。
【００３６】
次に、自無線通信装置１ａにて実施される周波数選定処理について、図４を参照して説明する。
【００３７】
自無線通信装置１ａは、他無線通信装置１ｂと通信を行う旨のユーザからの操作を受け付けると、また、予め定められた時刻になると、本処理を開始する。
【００３８】
まず、自無線通信装置１ａは、例えばユーザからの指示を受け付けて、他無線通信装置１ｂと無線通信を行うための周波数（チャネル；ここでは、周波数が異なる通信路を、チャネルと表記する）を設定する（ステップＳ１０１）。図５に示すように、無線通信を行うための周波数として、自無線通信装置１ａでは、チャネル１（Ｃｈ１）、チャネル３（Ｃｈ３）、チャネル４（Ｃｈ４）、チャネル５（Ｃｈ５）、チャネル８（Ｃｈ８）が設定され、また、他無線通信装置１ｂでは、チャネル２（Ｃｈ２）、チャネル３（Ｃｈ３）、チャネル４（Ｃｈ４）、チャネル６（Ｃｈ６）、チャネル７（Ｃｈ７）、チャネル８（Ｃｈ８）が設定されている。自無線通信装置１ａと他無線通信装置１ｂとの装置間において、互いに共有するチャネルがあり、自無線通信装置１ａと他無線通信装置１ｂとは、当該共有するチャネルのいずれかが選定されて、無線通信が行われる。ここでは、Ｃｈ３、Ｃｈ４、Ｃｈ８の３つのチャネルが、自無線通信装置１ａと他無線通信装置１ｂとが共有するチャネルである。このため、自無線通信装置１ａは、設定されたチャネルＣｈ１、Ｃｈ３、Ｃｈ４、Ｃｈ５、Ｃｈ８のうち、他無線通信装置１ｂと共有するチャネルＣｈ３、Ｃｈ４、Ｃｈ８のいずれかを選定して、無線通信を行う。
【００３９】
次に、送受信部１１は、所定の時間間隔毎に、また、ユーザからの指示を受け付けて、他無線通信装置１ｂと共有する周波数（チャネル）における電波の信号を、他無線通信装置１ｂへ送信する（ステップＳ１０２）。送受信部１１は、例えば、チャネルＩＤ（IDentification）、自無線通信装置１ａのＩＤ、送信時刻などの自無線通信装置１ａの情報を付加した信号を、他無線通信装置１ｂへ送信する。そして、これらの自無線通信装置１ａの情報が、通信品質を測定する際に利用される。
【００４０】
次に、送受信部１１は、他無線通信装置１ｂから送信された電波の信号を受け付ける（ステップＳ１０３）。ステップＳ１０２において自無線通信装置１ａから他無線通信装置１ｂへ信号が送信されると、他無線通信装置１ｂは、当該送信された信号を受信し、当該受信した信号に対応する電波の信号を送信する。そして、自無線通信装置１ａが備える送受信部１１は、他無線通信装置１ｂから送信された電波の信号を受信する。ここで、他無線通信装置１ｂは、自無線通信装置１ａから他無線通信装置１ｂへ送信された信号が示す、信号電圧、雑音電圧、ひずみ電圧を測定（解析）する。そして、他無線通信装置１ｂは、当該測定結果、信号を受信した受信時間、チャネルＩＤ、他無線通信装置１ｂのＩＤなどの他無線通信装置１ｂの情報を付加した信号を自無線通信装置１ａへ送信する。そして、これらの他無線通信装置１ｂの情報が、通信品質を測定する際に利用される。自無線通信装置１ａから他無線通信装置１ｂへ信号が送信され、また、他無線通信装置１ｂから自無線通信装置１ａへ信号が送信されるやり取りが行われることにより、自無線通信装置１ａと他無線通信装置１ｂとの間で、通信品質を共有することができる。
【００４１】
次に、送受信部１１は、他無線通信装置１ｂから送信された信号を受信した時刻から計時（カウント）を開始して、信号を受信した時刻からの経過時間について、測定を開始する（ステップＳ１０４）。送受信部１１は、例えば、ＲＴＣ（Real Time Clock）やタイマーを用いて、経過時間を測定する。
【００４２】
次に、品質解析部１６は、自無線通信装置１ａの情報、及び、他無線通信装置１ｂの情報に基づいて、自無線通信装置１ａと他無線通信装置１ｂとが共有するチャネル毎に、信号の通信品質を解析する（ステップＳ１０５）。ここで、通信品質を測定するためのパラメータとして、例えば、ＳＩＮＡＤ（SIgnal to Noise And Distortion）、電波を受信するまでの時間、受信チャネル、送信元ＩＤがある。品質解析部１６は、これらのパラメータに基づいて、通信品質を解析する。ＳＩＮＡＤにより通信品質を解析する場合、品質解析部１６は、ステップＳ１０３において受信された信号が示す、信号電圧（Ｓ）、雑音電圧（Ｎ）、ひずみ電圧（Ｄ）を、下記の式（１）に導入することにより、信号の通信品質を解析する。
ＳＩＮＡＤ＝（Ｓ＋Ｎ＋Ｄ）／（Ｎ＋Ｄ）      （１）
【００４３】
次に、品質記憶部１７は、品質解析部１６により解析された通信品質を記憶する（ステップＳ１０６）。図６に示すように、品質記憶部１７は、チャネル毎に、信号の通信品質を記憶している。ここでは、自無線通信装置１ａと他無線通信装置１ｂとが共有するチャネルがＣｈ３、Ｃｈ４、Ｃｈ８であるため、品質記憶部１７は、３つのチャネルにおける信号の通信品質を記憶する。
【００４４】
次に、送受信部１１は、他無線通信装置１ｂへの信号の送信を停止するか否かを判別する（ステップＳ１０７）。
【００４５】
信号の送信を停止しない場合（ステップＳ１０７；Ｎｏ）、送受信部１１は、他無線通信装置１ｂへ信号を送信する（ステップＳ１０２）。
【００４６】
ステップＳ１０２〜Ｓ１０７の処理は、いわゆるサウンディング機能であり、送信元である自無線通信装置１ａと受信先である他無線通信装置１ｂとの間における、通信品質の測定が行われる。サウンディング機能には、一定の時間間隔（例えば、３０分、４５分、１時間、２時間、３時間、４時間、８時間、１６時間など）で、送信元から受信先へ自動で情報を送信する場合と、ユーザからの求めに応じて手動で情報を送信する場合と、がある。このため、ステップＳ１０７において、他無線通信装置１ｂへの信号の送信を停止しない場合（ステップＳ１０７；Ｎｏ）とは、典型的には、自動で情報を送信するサウンディング機能が有効になっている場合、サウンディング機能を継続する旨のユーザからの要求がある場合であり、これらの場合に、送受信部１１は、信号の送信を停止しないと判別する。
【００４７】
一方、信号の送信を停止する場合（ステップＳ１０７；Ｙｅｓ）、品質更新部１８は、他無線通信装置１ｂから送信された信号を受信した時間からの経過時間に基づいて、チャネル毎に信号の通信品質を更新する（ステップＳ１０８）。そして、品質更新部１８は、更新した通信品質を品質記憶部１７に記憶させる。このため、品質記憶部１７は、更新前の通信品質及び更新後の通信品質を記憶している。
【００４８】
品質更新部１８は、例えば、図７に示すような、経過時間が増大するにつれて通信品質が減少していくグラフ（算出式）に基づいて、通信品質を更新する。これは、時間などの影響により刻々と電離層が変化することにより電波状況が変化するため、通信品質を解析した時間と通信を実際に開始する時間とでは、他無線通信装置１ｂとのリンクを確立する（通信する）ための最適な周波数が異なるためである。このため、通信品質を解析した時間からの経過時間に基づいて、通信品質を劣化（低下）させることにより、自無線通信装置１ａと他無線通信装置１ｂとの間で信号のやり取りを頻繁に行わずに、刻々と変化する状況に即した、最適な周波数を選定することができる。
【００４９】
次に、周波数選定部１９は、品質更新部１８により更新され、品質記憶部１７に記憶された通信品質に基づいて、他無線通信装置１ｂと無線通信を行う周波数（チャネル）を選定する（ステップＳ１０９）。図６に示すように、（更新前の）通信品質の高い順は、Ｃｈ４＞Ｃｈ８＞Ｃｈ３であり、更新後の通信品質の高い順は、Ｃｈ８＞Ｃｈ４＞Ｃｈ３である。このため、周波数選定部１９は、更新後の通信品質が高い順に、Ｃｈ８→Ｃｈ４→Ｃｈ３、と周波数（チャネル）を選定する。
【００５０】
次に、送受信部１１は、周波数選定部１９により選定されたチャネル順に、他無線通信装置１ｂを呼び出す（ステップＳ１１０）。ここでは、チャネルの順序が、Ｃｈ８→Ｃｈ４→Ｃｈ３と選定されているため、送受信部１１は、まず、Ｃｈ８において他無線通信装置１ｂを呼び出し、次にＣｈ４、Ｃｈ３と順に、他無線通信装置１ｂを呼び出していく。
【００５１】
そして、送受信部１１は、周波数選定部１９により選定されたチャネル順に、他無線通信装置１ｂを呼び出した後、他無線通信装置１ｂから応答のあったチャネルにおいて、他無線通信装置１ｂとのリンクを確立する（ステップＳ１１１）。例えば、最初に呼び出したＣｈ８において他無線通信装置１ｂからの応答があった場合、送受信部１１は、当該Ｃｈ８において、他無線通信装置１ｂとのリンクを確立する。しかし、Ｃｈ８においては他無線通信装置１ｂからの応答がなく、Ｃｈ４においては他無線通信装置１ｂからの応答がある場合、送受信部１１は、Ｃｈ４において、他無線通信装置１ｂとのリンクを確立する。これにより、通信品質の高いチャネル順に、自無線通信装置１ａと他無線通信装置１ｂとの間でリンクが確立されるため、最適な周波数（チャネル）を選択することができる。
【００５２】
以上の処理により、時間、地域、季節、太陽黒点数などの影響により刻々と電離層が変化することにより、電波状況が変化した場合であっても、最適な周波数を選択することができる。
【００５３】
なお、本発明は上記の実施形態に限定されず、種々の変形及び応用が可能である。
【００５４】
無線通信装置１は、短波帯以外の任意の周波数帯域において、無線通信を行うこともできる。
【００５５】
品質解析部１６は、任意の手法、及び、任意のパラメータを用いて、通信品質を解析することもできる。
【００５６】
品質更新部１８は、チャネル毎に異なるグラフ（算出式）を用いて、通信品質を更新することもできる。例えば、品質更新部１８は、図７に示すグラフ（１）に基づいてＣｈ３の通信品質を更新し、図７に示すグラフ（２）に基づいてＣｈ４の通信品質を更新し、Ｃｈ８の通信品質を更新しない（低下させない）こともできる。
【００５７】
また、品質更新部１８は、任意のグラフ（算出式）に基づいて、通信品質を更新することができる。例えば、品質更新部１８は、時間帯、季節、天候などによって、通信品質を低下させる低下率を変更する。図８に示すように、品質更新部１８は、昼間と夜間との通信品質の低下率を変化させて、夜間の低下率を、昼間の低下率より大きくすることもできる。また、品質更新部１８は、夏場の低下率を冬場の低下率より大きく（小さく）したり、晴れ、曇り、雨のそれぞれの場合によって、通信品質の低下率を変化させたりすることもできる。
【００５８】
アンテナ１０、送受信部１１、復調部１２、変調部１３、スピーカ１４、マイク１５、品質解析部１６、品質記憶部１７、品質更新部１８、周波数選定部１９から構成される無線通信装置１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する無線通信装置１を構成してもよい。また、インターネット等の通信ネットワーク上のサーバ装置が有する記憶装置に当該コンピュータプログラムを格納しておき、通常のコンピュータシステムがダウンロード等することで無線通信装置１を構成してもよい。
【００５９】
また、無線通信装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６０】
また、搬送波にコンピュータプログラムを重畳し、通信ネットワークを介して配信することも可能である。たとえば、通信ネットワーク上の掲示板（BBS; Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【００６１】
１（１ａ、１ｂ）  無線通信装置
１０  アンテナ
１１  送受信部
１２  復調部
１３  変調部
１４  スピーカ
１５  マイク
１６  品質解析部
１７  品質記憶部
１８  品質更新部
１９  周波数選定部
【図１】
0005500063.tif 000002
【図２】
0005500063.tif 000003
【図３】
0005500063.tif 000004
【図４】
0005500063.tif 000005
【図５】
0005500063.tif 000006
【図６】
0005500063.tif 000007
【図７】
0005500063.tif 000008
【図８】
0005500063.tif 000009